(57)【特許請求の範囲】
【請求項１】
住宅部と、
前記住宅部に設けられ、当該住宅部の底面から下方に突出する突出部を有するとともに当該突出部にネジ部が形成されたアンカーボルトと、
前記アンカーボルトを回転駆動する回転駆動部と、を備え、
前記アンカーボルトは、前記住宅部が地上にある基準位置では、地下区画の底部に穿設されたボルト孔に前記ネジ部の一部が螺合された状態で固定され、前記住宅部が前記地下区画に収容された収容位置では前記ネジ部の全体が前記ボルト孔に螺合された状態で固定されるように構成され、
前記地下区画は、地面を掘り下げて構成され且つ前記住宅部の居住部分を含む少なくとも一部を収容可能に構成されており、
前記ボルト孔は、内周面に前記アンカーボルトのネジ部を螺合可能なネジ溝を有することを特徴とする昇降式シェルター住宅。
【請求項２】
請求項１において、
前記アンカーボルトは、前記住宅部に対して軸周りに回転可能に設けられ、
前記回転駆動部は、前記アンカーボルトを回転駆動して当該アンカーボルトのネジ部を前記ボルト孔にねじ込む際の下降方向の力と、前記アンカーボルトを逆回転駆動して前記ネジ部を前記ボルト孔から抜き出す際の上昇方向の力とを利用して前記住宅部を昇降するように構成されている昇降式シェルター住宅。
【請求項３】
請求項１において、
前記住宅部は、有天且つ有底の円筒形状に構成され、
前記アンカーボルトは、前記住宅部の底部に当該住宅部と同心に固定されており、
前記回転駆動部は、前記住宅部とともに前記アンカーボルトを回転駆動するとともに、前記住宅部及び前記アンカーボルトの下降又は上昇に追随して下降又は上昇するように構成されている昇降式シェルター住宅。
【請求項４】
請求項１乃至３のいずれか１項において、
地上に立設され、前記住宅部の下端部の外周に沿って当該下端部を前記基準位置において包囲する支持壁を備える昇降式シェルター住宅。
【請求項５】
請求項１乃至４のいずれか１項において、
前記住宅部及び前記アンカーボルトは、水に浮く密度に構成されている昇降式シェルター住宅。
【請求項６】
請求項１乃至５のいずれか１項において、
前記住宅部の下端外周部を前記基準位置において包囲する地上部分には、上方から下方へと外側に向かって斜めに延びる傾斜部が設けられている昇降式シェルター住宅。
【請求項７】
請求項１乃至６のいずれか１項において、
前記住宅部は、内周部に接続された平面視で十字又は略十字の壁部によって内側が区画されている昇降式シェルター住宅。
【発明の詳細な説明】
【技術分野】
【０００１】
本発明は、昇降式シェルター住宅に関する。
【背景技術】
【０００２】
地震や台風による天災地変、核戦争などによる放射能汚染などの危機から身を守るために、シェルターの重要性が高まっている。現状、各国の人口あたりのシェルターの普及率は、例えば、スイス、イスラエルで１００％、ノルウェーで９８％、アメリカで８２％、ロシアで７８％となっている。これに対して、日本はたったの０．０２％となっている。
【０００３】
しかし、専用のシェルターは、地下に小規模の空間を設けて且つ固定されているものが主流であり、狭い空間でのストレスの発生や、長期間の避難に向いていないなどの問題も多い。そのため、危機的状況が長期化した場合、ストレスの増大や食料難などにより、危険な外部へ出ていくなどの選択肢を迫られる可能性がある。即ち、使用者のストレス等を考慮すると、普段の生活空間がそのままシェルターとして利用できることが望ましく、そのようなシェルターとして例えば特許文献１に記載の潜水式シェルターが開示されている。
【０００４】
かかる潜水式シェルターは、貯留水を溜めるための貯水槽と、架台を昇降、及び静止させる昇降装置と、架台に固定された筐体とを備え、貯水槽は貯留水を溜める第１貯水槽と、第１貯水槽からあふれ出た貯留水を溜める第２貯水槽とから構成され、筐体は、底部と、扉が設けられた側壁と、天井とを有し、昇降装置は、筐体の全体が貯留水の中に水没する状態から、扉が貯留水の水面上に位置する状態まで昇降可能な構成となっている。
【先行技術文献】
【特許文献】
【０００５】
【特許文献１】特開２０１９−７３８５６号公報
【発明の概要】
【発明が解決しようとする課題】
【０００６】
しかしながら、特許文献１においては、貯留槽の腐敗を防止するために貯留槽に送水する送水管と、貯留槽の水を排出する配水管とを備えている。そのため、例えば、送水管が破損して送水出来ない状態で貯留水の排出が行われた場合に、貯留槽内の水が減少する一方となって、貯留水による浮力が減少し昇降装置であるウインチのワイヤーロープに付加された重量が増大する場合がある。このような状態では、例えばワイヤーロープに経年劣化や災害による破損が生じている場合に、ワイヤーロープの破断によって筐体が貯水槽内へと落下する恐れがある。
【０００７】
そこで、本発明は、このような従来の技術の有する未解決の課題に着目してなされたものであって、住宅部分を地上に安定して固定可能な昇降式シェルター住宅を提供することを目的としている。
【課題を解決するための手段】
【０００８】
〔発明１〕  上記目的を達成するために、発明１の昇降式シェルター住宅は、住宅部と、  前記住宅部に設けられ、当該住宅部の底面から下方に突出する突出部を有するとともに当該突出部にネジ部が形成されたアンカーボルトと、前記アンカーボルトを回転駆動する回転駆動部と、を備え、前記アンカーボルトは、前記住宅部が地上にある基準位置では、地下区画の底部に穿設されたボルト孔に前記ネジ部の一部が螺合された状態で固定され、前記住宅部が前記地下区画に収容された収容位置では前記ネジ部の全体が前記ボルト孔に螺合された状態で固定されるように構成され、前記地下区画は、地面を掘り下げて構成され且つ前記住宅部の居住部分を含む少なくとも一部を収容可能に構成されており、前記ボルト孔は、内周面に前記アンカーボルトのネジ部を螺合可能なネジ溝を有する。
【０００９】
〔発明２〕  さらに、発明２の昇降式シェルター住宅は、発明１の昇降式シェルター住宅において、前記アンカーボルトは、前記住宅部に対して軸周りに回転可能に設けられ、前記回転駆動部は、前記アンカーボルトを回転駆動して当該アンカーボルトのネジ部を前記ボルト孔にねじ込む際の下降方向の力と、前記アンカーボルトを逆回転駆動して前記ネジ部を前記ボルト孔から抜き出す際の上昇方向の力とを利用して前記住宅部を昇降するように構成されている。
【００１０】
〔発明３〕  さらに、発明３の昇降式シェルター住宅は、発明１の昇降式シェルター住宅において、前記住宅部は、有天且つ有底の円筒形状に構成され、前記アンカーボルトは、前記住宅部の底部に当該住宅部と同心に固定されており、前記回転駆動部は、前記住宅部とともに前記アンカーボルトを回転駆動するとともに、前記住宅部及び前記アンカーボルトの下降又は上昇に追随して下降又は上昇するように構成されている。
【００１１】
〔発明４〕  さらに、発明４の昇降式シェルター住宅は、発明１乃至３のいずれか１の昇降式シェルター住宅において、地上に立設され、前記住宅部の下端部の外周に沿って当該下端部を前記基準位置において包囲する支持壁を備える。
〔発明５〕  さらに、発明５の昇降式シェルター住宅は、１乃至４のいずれか１の昇降式シェルター住宅において、前記住宅部及び前記アンカーボルトは、水に浮く密度に構成されている。
【００１２】
〔発明６〕  さらに、発明６の昇降式シェルター住宅は、発明１乃至５のいずれか１の昇降式シェルター住宅において、前記住宅部の下端外周部を前記基準位置において包囲する地上部分には、上方から下方へと外側に向かって斜めに延びる傾斜部が設けられている。
【００１３】
〔発明７〕  さらに、発明７の昇降式シェルター住宅は、発明１乃至６のいずれか１の昇降式シェルター住宅において、前記住宅部は、内周部に接続された平面視で十字又は略十字の壁部によって内側が区画されている。
【発明の効果】
【００１４】
以上説明したように、発明１の昇降式シェルター住宅によれば、住宅部が基準位置にあるときでもアンカーボルトの一部がボルト孔に螺合された状態となるので住宅部を安定して固定することができる。
また、発明２の昇降式シェルター住宅によれば、アンカーボルトを回転駆動してボルト孔にねじ込む際及び逆回転駆動してボルト孔から抜き出す際の昇降方向の力によって住宅部を昇降するようにしたので、住宅部ごと回転駆動する構成と比較して、回転駆動部を小型化することができる。その結果、昇降式シェルター住宅全体を小型化できるとともに、回転駆動装置にかかるエネルギーやコストを低減することができる。
【００１５】
また、発明３の昇降式シェルター住宅によれば、アンカーボルトとともに住宅部も回転駆動するようにしたので、回転分の上昇又は下降は伴うが基準位置にて住宅部を回転させることが可能となり、適宜の回転位置で停止することで、例えば、希望の部屋を景色（眺め）の良い方向や太陽に向く方向などに回転させることができる。
【００１６】
また、発明４の昇降式シェルター住宅によれば、住宅部が基準位置にあるときに、アンカーボルト３のしなり等によって住宅部２が傾いたときに当接して傾くのを防止したり、傾く角度を低減したりすることができる。
また、発明５の昇降式シェルター住宅によれば、例えば、津波などの水害によって、地上が水没してしまった場合などに、住宅部及びアンカーボルトが水に浮かぶことができるので、水底に取り残されるといった事態を回避することができる。
【００１７】
また、発明６の昇降式シェルター住宅によれば、大雨が降った際に、傾斜部分によって雨水を外側に押し流すことができるので、地下区画に大量の水が貯まるのを防ぐことができる。
また、発明７の昇降式シェルター住宅によれば、十字又は略十字の壁部によって住宅部の強度を高めることができる。
【図面の簡単な説明】
【００１８】
【図１】第１の実施の形態に係る昇降式シェルター住宅１の構成例を示す図であり、（ａ）は正面図、（ｂ）は側面図である。
【図２】第１の実施の形態に係る昇降式シェルター住宅１の構成例を示す図であり、（ａ）は平面図、（ｂ）は底面図である。
【図３】（ａ）は、昇降式シェルター住宅１の一部を断面表示した図であり、（ｂ）は、図１（ａ）のＡ−Ａ線断面図である。
【図４】昇降式シェルター住宅設置用の地下施設１０の一例を示す図であり、図中において地下施設１０は断面表示している。
【図５】昇降式シェルター住宅１を住宅部２が地上にある基準位置で地下施設１０に設置した状態を示す図であり、図中において地下施設１０は断面表示している。
【図６】昇降式シェルター住宅１を住宅部２の一部が地下に収容された収容位置で地下施設１０に設置した状態を示す図であり、図中において地下施設１０は断面表示している。
【図７】（ａ）は、基準位置における昇降式シェルター住宅１を地上から見た図であり、（ｂ）は、収容位置における昇降式シェルター住宅１を地上から見た図である。
【図８】第１の実施の形態に係る昇降式シェルター住宅１の全体構成を示す図であり、図中において地下施設１０は断面表示している。
【図９】第１の実施の形態に係る回転駆動装置１００の動作を説明する図であり、図中において地下施設１０は断面表示している。
【図１０】回転駆動装置１００によってシェルター住宅部を収容位置に向けて回転駆動する様子を示す図であり、図中において地下施設１０は断面表示している。
【図１１】（ａ）及び（ｂ）は、第２の実施の形態にかかる昇降式シェルター住宅１Ａの構成を示す図であり、（ａ）は、昇降式シェルター住宅１Ａの一部を断面表示した図であり、（ｂ）は、平面図である。
【図１２】第２の実施の形態に係る回転駆動装置２００によるアンカーボルト３の回転駆動によって、シェルター住宅部を収容位置に向けて回転駆動する様子を示す図であり、図中において地下施設１０は断面表示している。
【発明を実施するための形態】
【００１９】
〔第１の実施の形態〕
〔構成〕
以下、本発明の第１の実施の形態を説明する。図１乃至図１０は、第１の実施の形態を示す図である。
まず、昇降式シェルター住宅１の構成を説明する。
図１及び図２は、第１の実施の形態に係る昇降式シェルター住宅１の回転駆動装置を除いた構成例を示す図であり、図１（ａ）及び（ｂ）は正面図及び側面図、図２（ａ）及び（ｂ）は平面図及び底面図である。また、図３（ａ）は、昇降式シェルター住宅１の一部を断面表示した図であり、図３（ｂ）は、図１（ａ）のＡ−Ａ線断面図である。また、図８は、第１の実施の形態に係る昇降式シェルター住宅１の全体構成を示す図であり、図中において地下施設１０は断面表示している。また、図８は、見やすさを考慮して、内周壁６及びボルト孔７のハッチング表示を省略している。
【００２０】
昇降式シェルター住宅１は、図１（ａ）及び（ｂ）、図２（ａ）及び（ｂ）並びに図８に示すように、住宅部２と、アンカーボルト３と、回転駆動装置１００とを備えている。以下、回転駆動装置１００を除く住宅部２及びアンカーボルト３を「シェルター住宅部」と称する。
【００２１】
住宅部２は、略有底円筒状を成す住宅基礎部２１と、住宅基礎部２１の各階にそれぞれ設けられた環状窓部２２と、住宅基礎部２１の１階部分の互いに対向する位置に設けられた外部と通じる２つのスライドドア２３と、屋根部４０とを備える。
住宅基礎部２１の略円筒形状を構成する壁は、例えば、アルミニウム層、チタン層、空気層などの複数の層から構成された多層構造となっている。例えば、免震機能を有した強固な枠材と、この枠材と一体形成された軽量のコンテナ構造の内側部分との二重構造とする。また、この構成に限らず、住宅基礎部２１は、例えば、公知の相欠き継ぎのように端部に凹凸形状が形成されたハニカム構造の複数のパネル部材を嵌め合わせて円筒状に組み立てる構成としてもよい。
【００２２】
また、昇降式シェルター住宅１は、シェルター住宅部が水に浮かぶ密度で構成されており、住宅基礎部２１を構成する材料は、頑丈且つ軽量の金属材料等を用いることが望ましい。また、少なくともシェルター住宅部の居住部分は水密構造となっている。
住宅基礎部２１の内部空間は、図３（ａ）及び（ｂ）に示すように、床部２６Ｕにて１階の内部空間２４Ｌと２階の内部空間２４Ｕとに区画されているとともに、床部２６Ｌにて１階の内部空間２４Ｌと床下の空間（収容室２７）とが区画されている。１階及び２階の内部空間２４Ｌ及び２４Ｕは、それぞれ、平面視で十字又は略十字に形成された壁部２５によって部屋が大きく４つに区画されている。壁部２５は、住宅基礎部２１の内周部と、天井部及び床部又は屋根部４０の基礎構造部及び床部と接続されている。なお、図示省略するが、１階及び２階の壁部２５には、隣接する各部屋をつなぐ開口部又は開口部及びドア部が形成されている。また、１階の４つの部屋の少なくとも１つには２階へと上がるための階段が設けられ、この部屋の上部の床部２６Ｕの部分には２階へと通じる階段を設置するための開口部が設けられている。また、壁部２５で区画された各階の４つの部屋は、トイレ、浴室、キッチン、玄関を設置するなど、必要に応じてさらに複数の部屋に区画してもよい。
【００２３】
壁部２５は、金属材料等の頑強な材料による下地壁を有しており、また、住宅基礎部２１の内部に平面視十字又は略十字形状に配置されることで住宅基礎部２１の強度も高めるように構成されている。なお、水に浮く構成とするため、壁部２５の下地壁は、軽量且つ頑丈な材料から構成することが望ましい。また、軽量化のためにシェルター住宅部の外周壁や内周壁の素材に木材を使用してもよい。
【００２４】
住宅基礎部２１の１階の床部２６Ｌの下には、アンカーボルト３のネジ頭部３１を収容且つ固定するための収容室２７が形成されており、その床上には、ネジ頭部３１が強固に固定されている。
図１及び図２に戻って、環状窓部２２は、住宅基礎部２１の円筒形状を構成する壁（以下、「外周壁」と称す）において、壁部２５との接続部（図１中の網掛け部分）及びスライドドア２３を除く部分に窓枠を介して設けられている。具体的に、円筒形状に沿った形状の複数の窓を並べて配置した構成となっている。各窓は、例えば、耐熱性及び耐衝撃性を有する強化ガラスや強化プラスチックなどの頑丈且つ透明な材料から構成されている。即ち、環状窓部２２は、災害発生時に、火災による熱で溶けにくく且つ津波などにより流されてくる障害物の衝突などによって破壊され難い構成となっている。
【００２５】
屋根部４０は、住宅基礎部２１の上部に固定された略深張りの傘形状の傘状屋根４１と、傘状屋根４１の上部中央に立設された避雷針を兼ねるアンテナ４２と、傘状屋根４１に形成され且つアンテナ４２を平面視で菱形状に包囲するように形成された連結溝４３とを備える。
【００２６】
傘状屋根４１は、住宅基礎部２１の上部開口部を覆うように強固に固定されているとともに、例えば、アルミやチタン等の軽量で強度のある金属材料によって形成された例えば和傘の骨組みのような基礎構造部を有している。
傘状屋根４１は、基礎構造部の最外周部の骨組みを窓枠として各開口部には、それぞれ骨組みに沿った形状の天窓が取り付けられている。各天窓は、上記環状窓部２２と同様の理由から、例えば、耐熱性及び耐衝撃性を有する強化ガラスや強化プラスチックなどの頑丈且つ透明な材料から構成されている。
【００２７】
加えて、傘状屋根４１は、天窓からの日差しを制御する制御構造を備えている。この制御構造としては、例えば、電気を流すことで非透明となり、電気を流さないことで透明となる特性を有した液晶フィルムを内側から窓に貼りつけ、スイッチ等によって、透明と非透明を切り替えるものを採用している。なお、この構成に限らず、例えば、大量の抗酸化ボールを利用して、このボールによって窓を覆う状態と覆わない状態とを制御することで陽射しの入射及び遮断又は中間の状態を制御する構成や、電動シャッターの開閉によって陽射しの入射及び遮断を制御する構成などが採用可能である。
【００２８】
アンカーボルト３は、図１乃至図３に示すように、住宅基礎部２１の収容室２７内に固定して設けられたネジ頭部３１と、ネジ頭部３１と一体に構成され、住宅基礎部２１の底部中央から住宅基礎部２１と同軸に下方へと突出するネジ軸３２とを備えている。ネジ軸３２は、外周面にネジ山が設けられたネジ部３２ａと、ネジ部３２ａの下端部に設けられた円錐形状の先端部３２ｂとを備えている。
【００２９】
アンカーボルト３は、軽量且つ高強度の材料から構成されることが望ましく、例えば、チタン、チタン合金などから構成されている。なお、より軽量化をするために、強度の許す範囲でネジ軸３２等の構成部品を中空構造としてもよい。
次に、昇降式シェルター住宅１を設置する地下施設１０の構成を説明する。
【００３０】
図４は、昇降式シェルター住宅設置用の地下施設１０の一例を示す図であり、図中の地下施設１０は断面表示している。また、図５は、昇降式シェルター住宅１を住宅部２が地上にある基準位置で地下施設１０に設置した状態を示す図である。また、図６は、昇降式シェルター住宅１を住宅部２の一部が地下に収容された収容位置で地下施設１０に設置した状態を示す図である。また、図７（ａ）は、基準位置における昇降式シェルター住宅１を地上から見た図であり、図７（ｂ）は、収容位置における昇降式シェルター住宅１を地上から見た図である。なお、図４及び図５において、地下施設１０は断面表示している。また、見やすさを考慮して、図５において、内周壁６及びボルト孔７のハッチング表示を省略している。
【００３１】
地下施設１０は、図４に示すように、地面Ｇを掘り下げて構成された地下区画５と、地下区画５に隣接して設けられた避難施設８とを備える。
地下区画５は、内周部を構成する内周壁６と、内周壁６の下端部と接合され、地下区画５の底面に穿設されたボルト孔７とを備える。
【００３２】
内周壁６は、円筒形状をなし、崩落等が起こらないように強固な部材（例えば、成型コンクリート、鋼製パネル、鉄筋コンクリート、木材など）から構成されている。内周壁６の地下部分の内側には、シェルター住宅部の一部を収容する収容空間６１が形成されている。また、内周壁６の上端部は地上に突出しており、シェルター住宅が基準位置にあるときに住宅部２の下端部を支持する支持壁６２として機能する。また、内周壁６には、住宅部２と避難施設８とを地下で接続するための避難施設８と連通する開口部６３が形成されている。
【００３３】
収容空間６１は、住宅部２の住宅基礎部２１の外形に沿った形状に形成され、住宅基礎部２１の外径よりも大径の内径を有するように構成されている。
支持壁６２は、住宅部２の外周部に沿った環状の壁部として地上に突出し、内径が住宅基礎部２１の外径よりも大径に構成されている。加えて、住宅基礎部２１が傾いて、その外周壁と当接した場合にその重量を支持できる強度に構成されている。例えば、台風や地震等による昇降式シェルター住宅１のアンカーボルト３のしなりによって住宅部２が傾いた際に傾き過ぎないように支持する役割を果たす。
【００３４】
また、支持壁６２の周囲には、上方から下方へと外側に向かって斜めに延びる緩勾配の傾斜部９が形成されている。この傾斜部９によって、雨水が収容空間６１内に流れ込みにくい構成としている。なお、傾斜部９を支持壁６２の周囲に設ける構成としたが、この構成に限らず、例えば、支持壁６２の外周部を上方から下方へと外側に向かって斜めに延びる緩勾配に形成する構成にしてもよい。
開口部６３は、収容位置において、住宅部２のスライドドア２３と対面する位置に設けられている。開口部６３には、スライドドアや、避難施設８側へと押して開けるドアを設けてもよい。なお、収容空間６１内においてスライドドア２３と開口部６３との間にはシェルター住宅部が回転するための隙間があるため、隙間の大きさに応じて、内周壁６に足場を設けたり、住宅部２側から足場を架けたりするなど、隙間を覆う足場を設ける。
【００３５】
ボルト孔７は、収容空間６１の底部の地面下に埋設された略円柱形状の基礎部７１と、基礎部７１に形成されたネジ孔部７２とを備えている。
基礎部７１は、高強度の金属材料から構成されており、上端部が内周壁６の下端部と接合されて内周壁６と一体的に構成されている。
【００３６】
ネジ孔部７２は、基礎部７１の中央部を、基礎部７１が有底円筒状となるように長手方向に穿設するような形で形成されている。ネジ孔部７２には、内周面に、アンカーボルト３のネジ部３２ａと螺合可能なネジ溝７２ａが形成されており、ネジ孔部７２の下端には、アンカーボルト３の先端部３２ｂを収容可能な先端収容部７２ｂが形成されている。
【００３７】
このように構成された地下施設１０に対して、昇降式シェルター住宅１は、アンカーボルト３のネジ部３２ａをボルト孔７のネジ孔部７２にねじ込むことで設置される。その際、ねじ込む長さによって、図５に示す、地上で生活をする際の基準位置と、図６に示す、収容空間６１に収容する収容位置との２つの位置へと設置且つ変更が可能となっている。
【００３８】
図４に戻って、避難施設８は、収容空間６１に隣接して地下に設けられた避難空間８１と、避難空間８１と地上とを連通する通路８３と、通路８３を通って避難空間８１と地上とをつなぐ梯子８４と、通路８３の開口部を地上で塞ぐ蓋８５とを備える。
避難空間８１は、収容位置での長期滞在を考慮して、例えば、非常用の食料、飲料、衣料、医療用具、燃料などを備蓄しておくための倉庫の役割を有している。加えて、例えば津波などの災害が発生して、昇降式シェルター住宅１を収容空間６１に収容した後に、津波で流されてきた障害物などで昇降式シェルター住宅１を基準位置まで安全に上昇させられない状況のときなどに梯子８４を使って地上に脱出するための脱出路としての役割を有している。
【００３９】
通路８３は、避難空間８１を地上へとつなげる通路であり、梯子８４は、避難空間８１の床上から通路８３を通って地上付近まで延びる長さを有しており、避難空間８１からこの梯子８４を登ることで、通路８３の上部開口部から地上へと出ることができる。
蓋８５は、通路８３の上部開口部を覆うように構成されており、覆った状態のときに通路８３へと水が侵入するのを防ぐ構成となっている。なお、蓋８５には、例えば、潜望鏡を設けて、蓋８５を開けることなく外の状況を見ることができる構成としてもよい。または、潜望鏡の代わりに外の様子を撮影できるように且つ災害時の水や障害物等で壊れないようにビデオカメラを設置し、その映像を避難空間８１内に設置した表示装置に表示して、梯子８４を登ることなく外の状況を把握できる構成としてもよい。なお、収容空間６１に収容時の昇降式シェルター住宅１の上部及びその周辺の状況を確認できるように、複数のビデオカメラを設置したり、カメラの撮影軸線を上下左右方向に遠隔で回転できる構成にしたりすることが望ましい。
【００４０】
次に、昇降式シェルター住宅１の基準位置及び収容位置での設置状態について説明する。
図５に示す基準位置への設置状態では、アンカーボルト３のネジ部３２ａの一部がボルト孔７のネジ孔部７２に螺合した状態となっている。この螺合長さは、地上にある住宅部２の基礎として十分な強度を確保できる長さとすることが望ましい。
【００４１】
また、基準位置では、図７（ａ）に示すように、住宅部２の下端側の周囲を支持壁６２が包囲するようになっている。これにより、アンカーボルトのしなりによる住宅部２の傾きに対して、傾きが大きいときには支持壁６２が当接して支持し、傾く量を抑えるようになっている。
【００４２】
また、基準位置では、回転駆動装置１００によって、昇降式シェルター住宅１の１回転分（３６０°）の回転及び任意の回転位置での停止を行えるように構成されている。住宅部２には、１階及び２階に環状窓部２２が設けられているため、回転することで、壁部２５で区画された各部屋のうち特定の部屋に陽射しが入るようにしたり、特定の部屋から希望の景色が見られるようにしたりすることが可能となる。なお、基準位置からねじ込む方向（以下、「正方向」とする）又は抜き取る方向（以下、「逆方向」とする）に回転させるときに、下降又は上昇距離を短くするため、この回転位置に該当する位置のネジ部３２ａのネジ山のピッチを短く構成してもよい。
【００４３】
また、シェルター住宅部の初期の地下区画５への設置は、例えば、完成したシェルター住宅部をクレーンで吊り上げて設置する、または、別途回転駆動装置１００を移動式とした構成の回転駆動装置を用意してクレーンでの吊り上げと移動式の回転駆動装置との組み合わせで設置する。または、地下施設１０を建築後に、例えば、ノックダウン方式によって地下区画５内で部品を組み立ててシェルター住宅部を完成させることで行う。
【００４４】
一方、図６に示す収容位置への設置状態では、アンカーボルト３のネジ部３２ａの全体がボルト孔７のネジ孔部７２に螺合された状態となる。この状態では、アンカーボルト３の先端部３２ｂがネジ孔部７２の先端収容部７２ｂに収容された状態となる。
加えて、図７（ｂ）に示すように、支持壁６２の一部が屋根部４０の傘状屋根４１の内側に収容された状態となる。このとき、図示省略するが、傘状屋根４１が支持壁６２の上部に乗っかった状態となる。
【００４５】
さらに、住宅部２の大部分が収容空間６１内に収容されるとともに住宅部１階のスライドドア２３と内周壁６の開口部６３とが対向した状態となる。即ち、アンカーボルト３及びボルト孔７は、収容位置においてこの位置関係となるようにネジ部３２ａ及びネジ孔部７２の長さやピッチが構成されている。また、収容位置に収容された状態では、スライドドア２３を開いて例えば足場（不図示）をかけることで、開口部６３を通って避難空間８１へと移動することができる。
【００４６】
なお、基準位置、収容位置又は部屋の向きを任意の向きに変更したときにおいては、シェルター住宅部が外力によって勝手に回転しないように回転動作をロックする機構を設ける構成としてもよい。このロック機構は、回転駆動装置１００のブレーキ動作で実現してもよいし、別途アンカーボルト３や地下区画５などにロックする機構を設けることで実現してもよい。
【００４７】
次に、昇降式シェルター住宅１の回転駆動装置１００の構成について説明する。
図９は、第１の実施の形態に係る回転駆動装置１００の動作を説明する図である。また、図１０は、回転駆動装置１００によってシェルター住宅部を収容位置に向けて回転駆動する様子を示す図である。なお、図９及び図１０において、地下施設１０を断面表示しており、また、見やすさを考慮して、内周壁６及びボルト孔７のハッチング表示を省略している。
【００４８】
昇降式シェルター住宅１は、図８に示すように、住宅部２及びアンカーボルト３から構成されるシェルター住宅部を回転駆動するための回転駆動装置１００を備える。
回転駆動装置１００は、図８及び図９に示すように、基準位置にあるシェルター住宅部及び地下施設１０を跨ぐようにして立設されており、互いに対向する位置に立設された２本の支柱１０１と、回転駆動部１０２と、回転駆動部１０２の左右両端部にそれぞれ接続された２本のアーム１０３と、各アーム１０３にそれぞれ接続された移動部１０４とを備える。
【００４９】
２本の支柱１０１は、高い剛性を有する金属材料から構成されている。例えば、Ｉ形鋼又はＨ形鋼などから構成され、互いの対向する側に上下方向に延びる案内溝が形成されている。それぞれの案内溝を形成する対向する壁部は、２本の支柱１０１の対向する側の端部に、内側に突出する爪部が形成され略Ｌ字状に構成されている。即ち、案内溝の端部は爪部によって溝幅が狭くなっている。
【００５０】
回転駆動部１０２は、公知の電動ドライバのような仕組みの回転ドライバ１１１と、回転ドライバ１１１の静止部に取り付けられ回転ドライバ１１１をアーム１０３と接続する接続部１１２とを備えている。
回転ドライバ１１１は、筐体に内蔵された電動モータ１１３及びモータ制御部１１４と、電動モータ１１３の回転軸に回転可能に接続されたビットチャック（図示略）と、ビットチャックに接続されたビット１１５とを備えている。
【００５１】
接続部１１２は、回転ドライバ１１１の筐体に固定されており、左右両端部には、アーム１０３の一端部がそれぞれ接続されている。これにより、アーム１０３の上下動に応じて回転ドライバ１１１を上下動することができる。
電動モータ１１３は、高トルクの直流モータ又は交流モータから構成されており、モータ制御部１１４からの制御信号に基づいて正方向又は逆方向に回転制御されるとともに、所定の回転位置で停止するブレーキ制御がされるモータである。電動モータ１１３は、所定角度単位（例えば、１０°単位）の回転角度位置を検出可能な回転位置センサを有している。
【００５２】
モータ制御部１１４は、ＤＳＰ等のプロセッサやメモリを搭載しており、居住部に設けられたコントロールパネルからの指令信号に応じて、電動モータ１１３及び移動部１０４の駆動モータ（不図示）を駆動制御するものである。具体的に、住宅部２は、内部に回転駆動部１０２のコントロールパネルが設けられている。コントロールパネルとモータ制御部１１４とは、不図示の通信ケーブルによって有線接続されているか、または無線通信装置によって無線接続されており、居住者のコントロールパネルの操作内容に応じた指令信号がモータ制御部１１４に送信するように構成されている。
【００５３】
モータ制御部１１４は、受信した指令信号に基づいて、電動モータ及び駆動モータの回転速度等を制御して、基準位置内におけるシェルター住宅部の所定回転位置への回転及び停止、基準位置から収容位置への回転駆動及び停止、並びに収容位置から基準位置への回転駆動及び停止の動作を制御する。駆動制御に際しては、例えば、予め回転速度とシェルター住宅部の上下方向への移動距離等を測定しておき、目標位置への移動距離に応じて回転速度を可変制御する。
【００５４】
また、モータ制御部１１４は、国、自治体、携帯電話会社などが発信する緊急警報信号（例えばＪアラート）等の災害発生に係る信号を受信するように構成されており、この信号の受信に応じて、電動モータ１１３を自動制御して、シェルター住宅部を基準位置から収容位置へと回転移動する構成となっている。即ち、就寝時に災害が発生しても自動で収容位置へと移動するように構成されている。
【００５５】
また、第１の実施の形態では、シェルター住宅部が水に浮くように構成されているので、昇降式シェルター住宅１は、津波などの水害で地上が水没してしまった場合などに、緊急離脱モードとして、シェルター住宅部が水に浮いて地下施設１０から離脱できるように、アンカーボルト３の全体をボルト孔７のネジ孔部７２から抜き取るように回転駆動する動作モードを備えている。そして、緊急時に、緊急離脱モードが作動するように構成されている。
【００５６】
ビット１１５は、ビットチャックに対して着脱可能に構成されており、平面視で菱形状の枠部を有する先端部を備えている。ビット１１５は、先端部が住宅部２の屋根部４０に設けられた菱形状の連結溝４３に嵌入可能に且つ嵌入時に内側にアンテナ４２を収容可能に構成されている。ビット１１５は、電動モータ１１３によるビットチャックの回転に伴って回転するように構成されている。
【００５７】
アーム１０３は、他端部が支柱１０１の案内溝内に収容された移動部１０４に接続されている。アーム１０３は、移動部１０４の上下動に伴って上下動するように構成されている。
移動部１０４は、図示省略するが、アーム１０３に接続された筐体部と、筐体部に内蔵された複数の駆動モータと、案内溝内を上下動可能に筐体部の案内溝の爪部及び底部にそれぞれ当接された複数の車輪（例えば、爪側４輪、底側４輪）とを備えている。
【００５８】
複数の車輪は、駆動モータによってそれぞれ回転駆動されるように構成されている。移動部１０４は、駆動モータによる車輪の回転駆動又は停止動作によって、全体を案内溝に沿って上下動させるとともに任意の位置で停止させる。移動部１０４が上下動することで、アーム１０３が上下動し、これに伴って回転ドライバ１１１が上下動する（図９を参照）。
【００５９】
即ち、回転ドライバ１１１の回転によるシェルター住宅部の回転駆動によってアンカーボルト３のボルト孔７のネジ孔部７２へのねじ込み動作又はネジ孔部７２からの抜き出し動作が行われると、連結溝４３が上下動する。そのため、収容位置側又は基準位置側に移動するシェルター住宅部に追随させて回転ドライバ１１１を上下動させるように構成されている。
【００６０】
例えば、図８に示すモータ制御部１１４による各種モータの駆動制御によるアンカーボルト３のネジ孔部７２へのねじ込み動作を行った場合は、図１０に示すように、シェルター住宅部の全体がねじ込み方向に回転する。モータ制御部１１４は、このねじ込み方向の回転による下方向への移動に追随して移動部１０４が下方向に移動するように駆動モータを駆動制御する。これにより、シェルター住宅部の下方向への移動に追随して移動部１０４がアーム１０３及び回転ドライバ１１１を伴って下方向に移動する。一方、モータ制御部１１４による各種モータの駆動制御によるアンカーボルト３のネジ孔部７２からの抜き出し動作を行った場合も同様に、シェルター住宅部の上方向への移動に追随して、移動部１０４が上方向に移動するように駆動モータが駆動制御される。
【００６１】
なお、移動部１０４は、図８に示す、ビット１１５が連結溝４３に嵌入されていない待機位置への移動及び停止と、基準位置又は収容位置にてビット１１５を連結溝４３に嵌入した初期位置への移動にのみ駆動モータを駆動制御し、それ以外は、車輪を自由回転状態にする駆動制御を行う構成としてもよい。即ち、基準位置から収容位置への回転移動時は、回転ドライバ１１１の重さを利用して重力によって下方向に移動させる。一方、収容位置から基準位置への回転移動時は、ボルト孔７から抜き出す際の上方向の力で上方向に移動させる。なお、下方向への移動時のみ車輪を自由回転状態にし、上方向の移動時は駆動モータによって移動部１０４の車輪を回転駆動する構成としてもよい。
【００６２】
〔第１の実施の形態の効果〕
次に、第１の実施の形態の効果を説明する。
第１の実施の形態では、昇降式シェルター住宅１を、住宅部２と、住宅部２に設けられ、住宅部２の底面から下方に突出するネジ軸３２を有するとともにネジ軸３２にネジ部３２ａが形成されたアンカーボルト３と、住宅部２及びアンカーボルト３からなるシェルター住宅部を回転駆動する回転駆動装置１００と、を備え、アンカーボルト３は、住宅部２が地上にある基準位置では、地下区画５の収容空間６１の底部に穿設されたボルト孔７のネジ孔部７２にネジ部３２ａの一部が螺合した状態で固定され、住宅部２の居住部を含む少なくとも一部が地下区画５に収容された収容位置ではネジ部３２ａの全体がネジ孔部７２に螺合された状態で固定される構成とした。
【００６３】
このような構成であれば、住宅部２が地上にあるときでもアンカーボルト３のネジ部３２ａの一部がボルト孔７のネジ孔部７２に螺合された状態となるので、基準位置にて住宅部２を安定して固定することができる。
また、第１の実施の形態では、さらに、住宅部２を、有底円筒状の住宅基礎部２１と、住宅基礎部２１の上部開口部を覆う屋根部４０とを備える構成とし、アンカーボルト３を、ネジ軸３２が住宅部２と同心となるように、住宅部２の底部の収容室２７にネジ頭部３１が固定された構成とし、回転駆動装置１００を、回転ドライバ１１１によって、住宅部２とともにアンカーボルト３を回転駆動するとともに、住宅部２及び前記アンカーボルト３の下降又は上昇に追随して回転ドライバ１１１が下降又は上昇する構成とした。
【００６４】
このような構成であれば、アンカーボルト３とともに住宅部２も回転駆動できるので、回転分の上昇又は下降は伴うが基準位置にて住宅部を回転させることが可能となり、適宜の回転位置で停止することで、例えば、希望の部屋を花壇のある方向や太陽に向く方向などに回転させることができる。
【００６５】
また、第１の実施の形態では、さらに、住宅部２の下端部の外周に沿って下端部を基準位置において包囲する支持壁６２を設けた。
このような構成であれば、住宅部２が基準位置にあるときに、アンカーボルト３のしなり等によって住宅部２が傾いたときに当接して傾くのを防止したり、傾く角度を低減したりすることができる。
【００６６】
また、第１の実施の形態では、さらに、住宅部２及びアンカーボルト３からなるシェルター住宅部を水に浮かぶ密度に構成した。
このような構成であれば、例えば、津波などの水害によって、地上が水没してしまった場合などに、シェルター住宅部が独立して水に浮かぶことができるので、水底に取り残されるといった事態を回避することができる。
【００６７】
また、第１の実施の形態では、さらに、住宅部２の下端の外周部を基準位置において包囲する地上部分を、上方から下方へと外側に向かって斜めに延びる緩勾配に構成してなる傾斜部９を設けた。
このような構成であれば、例えば、大雨が降った際に、傾斜部９によって雨水を外側に押し流すことができるので、地下区画５に大量の水が貯まるのを防ぐことができる。
【００６８】
また、第１の実施の形態では、さらに、住宅部２の内部空間を、内周部に接続された平面視で十字又は略十字の壁部２５によって区画するようにした。
このような構成であれば、十字又は略十字の壁部２５によって住宅部２の強度を高めることができる。
〔対応関係〕
第１の実施の形態において、ネジ軸３２が発明１の突出部に対応し、回転駆動装置１００が発明１及び３の回転駆動部に対応している。
〔第２の実施の形態〕
次に、本発明の第２の実施の形態を説明する。図１１及び図１２は、第２の実施の形態を示す図である。なお、以下、上記第１の実施の形態と異なる部分についてのみ説明し、重複する部分については説明を省略する。
【００６９】
第２の実施の形態は、第１の実施の形態において、外部の回転駆動装置１００によって、シェルター住宅部の全体を回転することで、基準位置での回転と基準位置と収容位置との間の上下動を行うのに対して、住宅部２の内部の回転駆動装置２００によって、アンカーボルト３のみを回転駆動して上下動を行う点が異なる。
【００７０】
図１１（ａ）及び（ｂ）は、第２の実施の形態に係る昇降式シェルター住宅１Ａの構成を示す図であり、（ａ）は、昇降式シェルター住宅１Ａの一部を断面表示した図であり、（ｂ）は、平面図である。また、図１２は、第２の実施の形態に係る回転駆動装置２００によるアンカーボルト３の回転駆動によって、シェルター住宅部を収容位置に向けて回転駆動する様子を示す図である。なお、見やすさを考慮して、図１２において、内周壁６及びボルト孔７のハッチング表示を省略している。
【００７１】
昇降式シェルター住宅１Ａは、図１１（ａ）及び（ｂ）に示すように、住宅部２Ａと、アンカーボルト３Ａと、回転駆動装置２００とを備えている。
住宅部２Ａは、住宅基礎部２１と、屋根部４０Ａとを備えている。
屋根部４０Ａは、上記第１の実施の形態の屋根部４０において、連結溝４３を有さない構成となっている。
【００７２】
アンカーボルト３Ａは、上記第１の実施の形態のアンカーボルト３において、ネジ頭部３１を有さず、ネジ軸３２と略同様の構成のネジ軸３２Ａを備えている。そして、ネジ軸３２Ａの上端部が回転駆動装置２００の回転軸に接続された構成となっている。即ち、アンカーボルト３Ａは、住宅部２Ａに対して独立して回転するように構成されている。
【００７３】
回転駆動装置２００は、図示省略するが、床上に固定された筐体と、筐体に内蔵された電動モータ及びモータ制御部とを備えている。
電動モータは、高トルクの直流モータ又は交流モータから構成されており、モータ回転軸がアンカーボルト３Ａの上端部に接続されており、アンカーボルト３Ａを直に回転駆動する構成となっている。また、上記第１の実施の形態と同様に、回転位置センサを有している。そして、回転位置センサからのセンサ検出信号及びモータ制御部からの制御信号に基づいて正方向又は逆方向に回転制御されるとともに、所定の回転位置で停止するブレーキ制御がされる。
【００７４】
モータ制御部は、上記第１の実施の形態のモータ制御部１１４と略同様の構成を有している。但し、第２の実施の形態では、住宅部２は回転しないため、住宅部２を回転させる制御は実行しないように構成されている。また、上記第１の実施の形態と同様に、モータ制御部と、コントロールパネルとは、有線又は無線で接続されており、コントロールパネルからの指令信号がモータ制御部に送信されるように構成されている。
【００７５】
上記構成の回転駆動装置２００によって、アンカーボルト３Ａをボルト孔７のネジ孔部７２にねじ込む方向に回転駆動すると、図１１に示すように、アンカーボルト３Ａがネジ孔部７２にねじ込まれることで下方向の力が発生し、この力によってシェルター住宅部が下方向に移動する。このとき、住宅部２Ａは回転せず真っすぐに下降していく。
【００７６】
一方、回転駆動装置２００によって、アンカーボルト３Ａをボルト孔７のネジ孔部７２から抜き出す方向に回転駆動した場合は、アンカーボルト３Ａは、ねじ込むときとは逆方向に回転する。これにより、アンカーボルト３Ａがネジ孔部７２から抜け出す方向に移動して、上方向の力が発生する。この力によってシェルター住宅部が上方向に移動する。
【００７７】
なお、アンカーボルト３Ａのネジ軸３２Ａとボルト孔７のネジ孔部７２との摩擦抵抗によっては、住宅部２Ａの方が回転してしまう恐れがあるため、例えば、内周壁６に案内レールを設け、住宅部２Ａの外周部における案内レールと対向する位置に案内レールと系合する車輪やボールなどを設けて、住宅部２Ａを回転させずに安定して真っすぐと上下動させる構成が考えられる。
〔第２の実施の形態の効果〕
次に、第２の実施の形態の効果を説明する。
【００７８】
第２の実施の形態は、上記第１の実施の形態の効果に加えて又は代えて以下の効果を奏する。
第２の実施の形態では、昇降式シェルター住宅１Ａを、アンカーボルト３Ａが、住宅部２Ａに対して軸周りに独立に回転可能に設けられ、回転駆動装置２００が、アンカーボルト３Ａを正方向に回転駆動してこのアンカーボルト３Ａのネジ部３２ａをボルト孔７のネジ孔部７２にねじ込む際の下降方向の力と、アンカーボルト３Ａを逆方向に回転駆動してネジ部３２ａをネジ孔部７２から抜き出す際の上昇方向の力とを利用してシェルター住宅部を昇降させる構成とした。
【００７９】
このような構成であれば、シェルター住宅部ごと回転駆動する上記第１の実施の形態の構成と比較して、回転駆動装置を小型化することができる。その結果、上記第１の実施の形態と比較して、昇降式シェルター住宅全体を小型化できるとともに、回転駆動装置２００にかかるエネルギーやコストを低減することができる。
〔対応関係〕
第２の実施の形態において、ネジ軸３２Ａが発明１の突出部に対応し、回転駆動装置２００が発明１及び２の回転駆動部に対応している。
〔変形例〕
上記第１及び第２の実施の形態においては、電動モータによってシェルター住宅部又はアンカーボルト３Ａを回転駆動する構成としたが、この構成に限らず、例えば、人力で回転できる構成とするなど他の構成としてもよい。
【００８０】
また、上記第１及び第２の実施の形態並びにその変形例において、避難施設８を経由して地上に脱出する構成としたが、この構成に限らず、例えば、２階の部屋に屋根部４０又は４０Ａへと登る梯子などを設けるとともに、屋根部４０又は４０Ａに地上に出られる扉を設けて、住宅部２の内側から地上へと脱出できる構成としてもよい。この構成とした場合に、避難施設８を設けない構成としてもよい。
【００８１】
また、上記第１及び第２の実施の形態並びにその変形例においては、住宅部２のドアをスライドドアから構成したが、この構成に限らず、内開きのドアなど他のドアから構成してもよい。
また、上記第１の実施の形態及びその変形例においては、移動部１０４を駆動モータによって移動させる構成としたが、この構成に限らず、別途、ウインチモータとウインチとを設け、移動部をワイヤーロープで吊って上下動させる構成とするなど他の構成としてもよい。
【００８２】
また、上記第１及び第２の実施の形態並びにその変形例において、例えば、アンカーボルト３を住宅部２から分離できる構成としてもよい。この構成とすることで、アンカーボルト３を分離する前の状態では水に沈んでしまうが、アンカーボルト３を分離することで水に浮く構成とすることが可能となり、アンカーボルト３の重量条件を緩和することが可能となる。その結果、重量は増えるが廉価な材料を用いるといったことが可能となる。
また、上記第１及び第２の実施の形態並びにその変形例において、ネジ軸のネジ山のピッチ及びネジ孔部のネジ溝のピッチを比較的細かいピッチに構成したが、この構成に限らず、もっと粗いピッチにするなど他のピッチに構成してもよい。
【００８３】
また、上記第１及び第２の実施の形態並びにその変形例において、電気、ガス、水道などの供給源について特に述べていないが、通常の電力会社、ガス会社、水道局からの供給を受ける構成がまず考えられる。また、この構成に限らず、例えば、エネルギーや水の供給を昇降式シェルター住宅１又は１Ａ内で全てを又は一部を賄う構成としてもよい。例えば、昇降式シェルター住宅１又は１Ａに、磁力等を利用したフリーエネルギー、太陽光、風、雨水等の自然エネルギー、バイオテクノロジー、ナノ技術を利用したエネルギーなどを利用して必要なエネルギーを賄うシステム、水、酸素などを生成又は浄化するシステム等を付設する構成としてもよい。例えば、酸素の供給施設、室内空気の浄化施設、雨水を貯留且つ浄水する施設、風力や太陽光などを利用した発電施設、太陽光を利用した室温調整施設、バイオテクノロジーを利用したゴミ処理施設及び下水処理施設などが考えられる。これらの施設によって、生活に必要なエネルギー等を供給する。
【００８４】
また、上記第１及び第２の実施の形態並びにその変形例において、地下区画５に隣接された避難施設８を介して地上へと脱出できる構成としたが、この構成に限らない。例えば、下水道等の既存の地下施設が近くにある場合に、この地下施設に避難施設８を接続して、既存施設を利用して脱出できる構成としてもよい。
【００８５】
また、上記第１及び第２の実施の形態並びにその変形例において、収容位置にて、昇降式シェルター住宅１の屋根部４０又は４０Ａが地上に残る構成としたが、この構成に限らず、屋根部４０を含む全体が収容される構成としてもよい。また、この構成とした場合に、収容後の上部開口部をシャッターや蓋などで閉じる構成としてもよい。
上記第１及び第２の実施の形態並びにその変形例において、アンカーボルトの先端部を円錐形状としたが、この構成に限らず、先端部を平坦な形状とするなど他の構成としてもよい。
【符号の説明】
【００８６】
１，１Ａ…昇降式シェルター住宅、  ２…住宅部、  ３，３Ａ…アンカーボルト、  ５…地下区画、  ６…内周壁、  ７…ボルト孔、  ８…避難施設、  ９…傾斜部、  １０…地下施設、  ２１…住宅基礎部、  ２２…環状窓部、  ２３…スライドドア、  ２４Ｌ，２４Ｕ…内部空間、  ２５…壁部、  ３１…ネジ頭部、  ３２，３２Ａ…ネジ軸、  ３２ａ…ネジ部、  ３２ｂ…先端部、  ４０，４０Ａ…屋根部、  ４１，４１Ａ…傘状屋根、  ４２…アンテナ、  ４３…連結溝、  ６１…収容空間、  ６２…支持壁、  ６３…開口部、  ７１…基礎部、  ７２…ネジ孔部、  ７２ａ…ネジ溝、  ７２ｂ…先端収容部、  ８１…避難空間、  ８３…通路、  ８４…梯子、  ８５…蓋、  １００，２００…回転駆動装置、  １０１…支柱、  １０２…回転駆動部、  １０３…アーム、  １０４…移動部、  １１１…回転ドライバ、  １１２…接続部、  １１３…電動モータ、  １１４…モータ制御部、  １１５…ビット
【要約】
【課題】住宅部分を地上に安定して固定可能な昇降式シェルター住宅を提供する。
【解決手段】  昇降式シェルター住宅１は、住宅部２と、住宅部２に設けられ、住宅部２の底面から下方に突出するネジ軸３２を有するとともにネジ軸３２にネジ部３２ａが形成されたアンカーボルト３と、アンカーボルト３を回転駆動する回転駆動装置１００と、を備え、アンカーボルト３は、住宅部２が地上にある基準位置では、ネジ部３２ａの一部が、地面を掘り下げて構成され且つ住宅部２の居住部分を含む少なくとも一部を収容可能な地下区画５の収容空間６１の底部に穿設された、内周面にアンカーボルト３のネジ部３２ａを螺合可能なネジ溝７２ａを有するボルト孔７のネジ孔部７２に螺合した状態で固定され、住宅部２の少なくとも一部が地下区画５の収容空間６１に収容された収容位置ではネジ部３２ａの全体がネジ孔部７２に螺合された状態で固定されるように構成した。
【選択図】  図８【図１】
0006877807.tif 000002
【図２】
0006877807.tif 000003
【図３】
0006877807.tif 000004
【図４】
0006877807.tif 000005
【図５】
0006877807.tif 000006
【図６】
0006877807.tif 000007
【図７】
0006877807.tif 000008
【図８】
0006877807.tif 000009
【図９】
0006877807.tif 000010
【図１０】
0006877807.tif 000011
【図１１】
0006877807.tif 000012
【図１２】
0006877807.tif 000013